(57)【要約】【課題】  高価な記憶部を使用することなく、記憶容量を増やし、且つ記憶部に記憶するデータの処理性能を向上させることを実現するデータ入出力装置を提供する。【解決手段】  ユーザからの要求を処理するとともに、データを出力機器１０７に出力する出力制御部１０６と、データを記憶する複数の第１記憶部１０３と、第１記憶部１０３と対となって設けられ、当該各第１記憶部への記憶制御を行う複数の第１記憶制御部１０２と、第１記憶部１０３に記憶されたデータのメタデータを記憶する第２記憶部１０５と、第２記憶部１０５への記憶制御を行う第２記憶制御部１０４と、送信アドレスにより出力制御部１０６、第１記憶制御部１０２及び第２記憶制御部１０４の各制御部うち、少なくともいずれか１つの制御部におけるネットワークへの接続を行うスイッチ部１０１と、スイッチ部１０１の接続制御を行うパス制御部１００とを有するように構成する。【選択図】  図１
2006285585.tif 000002
【特許請求の範囲】
【請求項１】
ユーザからの要求を処理するユーザインタフェース手段とデータを出力装置に出力する出力手段とを備え、ネットワークに接続可能に構成された出力制御部と、
データを記憶する複数の第１記憶部と、
前記第１記憶部と対となって設けられ、当該各第１記憶部への記憶制御を行うとともに、前記ネットワークに接続可能に構成された複数の第１記憶制御部と、
前記第１記憶部に記憶されたデータのメタデータを記憶する第２記憶部と、
前記第２記憶部への記憶制御を行うとともに、前記ネットワークに接続可能に構成された第２記憶制御部と、
送信アドレスにより前記出力制御部、前記第１記憶制御部及び前記第２記憶制御部の各制御部うち、少なくともいずれか１つの制御部における前記ネットワークへの接続を行うスイッチ部と、
前記スイッチ部の接続制御を行うパス制御部と
を有することを特徴とするデータ入出力装置。
【請求項２】
前記パス制御部は、前記ネットワークに接続されている前記各制御部の能力値とユーザからの接続要求とに応じて、前記スイッチ部による接続を決定することを特徴とする請求項１に記載のデータ入出力装置。
【請求項３】
前記パス制御部は、前記各第１記憶部のデータへアクセスした際の呼損率に応じて、前記アクセスした当該第１記憶部と異なる第１記憶部に当該データを複製させるデータ複製手段を備えることを特徴とする請求項１に記載のデータ入出力装置。
【請求項４】
前記パス制御部が行う接続制御による接続命令は、前記各制御部に対する出力先を示すアドレス情報であり、各制御部に与えられた前記アドレス情報に従ってストリームが処理されることを特徴とする請求項１に記載のデータ入出力装置。
【請求項５】
前記パス制御部は、最初にパス経路を予約して前記接続制御を行うことを特徴とする請求項１に記載のデータ入出力装置。
【請求項６】
前記パス制御部は、定期診断により前記データ複製手段による複製データの作成を行うことを特徴とする請求項３に記載のデータ入出力装置。
【請求項７】
前記パス制御部は、定期診断により前記データ複製手段により作成した複製データの削除を行う削除手段を更に備えることを特徴とする請求項３に記載のデータ入出力装置。
【請求項８】
前記パス制御部は、前記接続要求毎にシステムで一意に与えられたパスＩＤを管理することを特徴とする請求項２に記載のデータ入出力装置。
【請求項９】
前記パス制御部は、前記能力値として、前記各第１記憶部からの転送能力に応じて、前記スイッチ部による接続を決定することを特徴とする請求項２に記載のデータ入出力装置。
【請求項１０】
前記出力制御部は、前記ユーザインタフェース手段により前記パス制御部に対してユーザからの要求を行うとともに、前記パス制御部からの接続命令に従って前記ネットワークを介して送られてくるストリームデータを受信するものであり、
当該ストリームデータを前記出力装置に適合するようにデータの変換を行うデータ変換手段を更に備えることを特徴とする請求項１に記載のデータ入出力装置。
【請求項１１】
前記第２記憶部に記憶されている前記メタデータには、管理しているファイル毎の前記呼損率のデータが含まれていることを特徴とする請求項３に記載のデータ入出力装置。
【請求項１２】
前記第２記憶部に記憶されている前記メタデータには、オリジナルデータと前記データ複製手段による複製データの保存されているロケーション情報とが含まれていることを特徴とする請求項３に記載のデータ入出力装置。
【請求項１３】
前記第２記憶制御部は、前記ネットワークを介して要求された検索要求に対して、前記第２記憶部に記憶されている前記メタデータに基づいて前記検索要求に対する検索処理を行う検索処理手段を備えることを特徴とする請求項１に記載のデータ入出力装置。
【請求項１４】
前記データ複製手段は、前記第２記憶部に記憶されている前記メタデータの前記ロケーション情報に基づいて、データの複製を行うことを特徴とする請求項１２に記載のデータ入出力装置。
【発明の詳細な説明】
【技術分野】
【０００１】
本発明は、データの入出力を行うデータ入出力装置に関する。
【背景技術】
【０００２】
従来のデータ入出力装置では、複数の動画データを読み出す場合、高速で高価なハードディスクを使用するか、ストライピングといった構成により複数の動画データの読み出しを実現していた。このような技術を使用しても、昨今では、動画データの転送帯域が増加しており、複数チャネルの再生においては問題が生じていた。また、１つのデータ入出力装置に複数の記憶部を備え複製のファイルを持つ技術もあるが、この場合には、マイクロプロセッサーを使用してプロセッサーバスにハードディスクを複数接続する、いわゆるパソコンの内部構造と同じ構成により実現しているものが一般的であった。
【０００３】
【特許文献１】特開平８−２７９５４４号公報
【発明の開示】
【発明が解決しようとする課題】
【０００４】
昨今では、動画等でもＨＤＴＶといった高精細な動画が増えてきており、このような広帯域を必要とする情報の蓄積や配信といったシステムを効率よく実現する必要性が重視されてきた。
【０００５】
そして、ＨＤＴＶといった高精細な動画が増えてくると、記憶部からデータを取り出す帯域が広く必要となり、従来のデータ入出力装置では、複数チャネルを読み出していると記憶部からの帯域が上限に達してしまいコンテンツを鑑賞できないといった問題が発生してしまう。そして、この問題を解消するためには高帯域を有する高価な記憶部を使用する必要があり、この場合にはコスト面における問題がある。即ち、従来のデータ入出力装置では、記憶部（記憶装置）を増やすことにより記憶容量を増やすことはできても、当該記憶部に記憶するデータの処理性能を向上させることはできなかった。
【０００６】
本発明は前述の問題点にかんがみてなされたものであり、高価な記憶部を使用することなく、記憶容量を増やし、且つ記憶部に記憶するデータの処理性能を向上させることを実現するデータ入出力装置を提供することを目的とする。
することを目的とする。
【課題を解決するための手段】
【０００７】
前述した目的を達成するために本発明は、ユーザからの要求を処理するユーザインタフェース手段とデータを出力装置に出力する出力手段とを備え、ネットワークに接続可能に構成された出力制御部と、データを記憶する複数の第１記憶部と、前記第１記憶部と対となって設けられ、当該各第１記憶部への記憶制御を行うとともに、前記ネットワークに接続可能に構成された複数の第１記憶制御部と、前記第１記憶部に記憶されたデータのメタデータを記憶する第２記憶部と、前記第２記憶部への記憶制御を行うとともに、前記ネットワークに接続可能に構成された第２記憶制御部と、送信アドレスにより前記出力制御部、前記第１記憶制御部及び前記第２記憶制御部の各制御部うち、少なくともいずれか１つの制御部における前記ネットワークへの接続を行うスイッチ部と、前記スイッチ部の接続制御を行うパス制御部とを有することを特徴とするデータ入出力装置等を提供する。
【発明の効果】
【０００８】
本発明によれば、高価な記憶部を使用することなく、記憶容量を増やし、且つ記憶部に記憶するデータの処理性能を向上させることができる。
【０００９】
また、本発明によれば、複製されたデータのファイルをユーザは意識することなく使用することが可能となり、トラフィックに応じた複製をスイッチ部に接続された複数の第１記憶部に自動で作成することができ、且つトラフィックが減ってきた場合には自動で複製の数を減らすことが可能になる。これにより、安価なハードディスクを使用して複数チャネルの動画再生を行うことができる。
【発明を実施するための最良の形態】
【００１０】
図１は、本発明の実施形態におけるデータ入出力装置を含むデータ入出力システムの概略構成を示したブロック図である。
図１に示すように、データ入出力システムは、データ入出力装置１０８と、データ入出力装置１０８におけるデータの出力先である出力機器１０７とを備えて構成されている。
【００１１】
データ入出力装置１０８は、ユーザからの要求を処理するユーザインタフェース手段とデータを出力機器１０７に出力する出力手段とを備え、ネットワークに接続可能に構成された出力制御部１０６と、データを記憶する複数の第１記憶部１０３と、第１記憶部１０３と対となって設けられ、当該各第１記憶部への記憶制御を行うとともに、ネットワークに接続可能に構成された複数の第１記憶制御部１０２と、第１記憶部１０３に記憶されたデータのメタデータを記憶する第２記憶部１０５と、第２記憶部１０５への記憶制御を行うとともに、ネットワークに接続可能に構成された第２記憶制御部１０４と、送信アドレスにより出力制御部１０６、第１記憶制御部１０２及び第２記憶制御部１０４の各制御部うち、少なくともいずれか１つの制御部におけるネットワークへの接続を行うスイッチ（Switch）部１０１と、スイッチ部１０１の接続制御を行うパス（Path）制御部１００とを有して構成されている。
【００１２】
図２は、本発明の実施形態におけるデータ入出力装置において、トラフィックが分散されて稼動している状況を示したブロック図である。
パス制御部１００は、前述したように、各制御部間の接続制御を行うものであり、データ入出力装置１０８における処理の中核をなす制御部である。スイッチ部１０１は、前述したように、各制御部を接続するためのスイッチ部であり、送信先アドレスによるスイッチであればどのような方式でもかまわない。本実施形態では、１ギガバイト対応のイーサネット（登録商標）で接続を行うものとして説明を行う。
【００１３】
データ入出力装置１０８では、システムにアクセスするための接続処理やビューア機能を持ったアプリケーションをＰＣ上で動作させる必要がある。
第１のＰＣ２０１及び第２のＰＣ２０２は、本システムにストレージされた情報を表示するＰＣであり、一般的なネットワーク機能を有する端末である。本実施形態においては、説明の都合上、２台のＰＣを用いた例を示したが、これに限らず、３台、４台と接続することが可能である。
【００１４】
オリジナルデータＨＤＤ２０４ａ，２０４ｂ，…，２０４ｎは、オリジナルデータを蓄積するためのハードディスクであり、本実施形態ではｎ個設けられている。このオリジナルデータＨＤＤ２０４ａ，２０４ｂ，…，２０４ｎは、図１の第１記憶部１０３に相当するものである。オリジナルデータＨＤＤ制御部２０５ａ，２０５ｂ，２０５ｎは、オリジナルデータＨＤＤ２０４ａ，２０４ｂ，…，２０４ｎのディスク管理機能と、スイッチ部１０１と接続するためのネットワークインタフェースを有しており、システム内でファイルを共用するためのストレージ制御部である。本実施形態ではｎ個設けられている。このオリジナルデータＨＤＤ制御部２０５ａ，２０５ｂ，２０５ｎは、図１の第１記憶制御部１０２に相当するものである。
【００１５】
各オリジナルデータＨＤＤ２０４ａ，２０４ｂ，…，２０４ｎとオリジナルデータＨＤＤ制御部２０５ａ，２０５ｂ，２０５ｎとの接続方法は、ＩＤＥ（Integrated Drive Electronics）、Ｓｅｒｉａｌ ＡＴＡ、ＳＣＳＩ（Small Computer System Interface）と様々な方法があるが、一般的なインタフェースでハードディスクにアクセスできれば、いずれでもよい。また、ユーザが本装置を使用して蓄積するデータは、全てオリジナルデータＨＤＤに保存され、且つシステムで複製したデータもオリジナルデータＨＤＤに保存される。
【００１６】
メタデータＨＤＤ２０６は、各オリジナルデータＨＤＤ２０４ａ，２０４ｂ，…，２０４ｎに保存されているファイルデータのメタデータを蓄積するためのハードディスクであり、図１の第２記憶部１０５に相当するものである。メタデータＨＤＤ制御部２０７は、スイッチ部２０３と接続するための１ギガバイト対応のイーサネット（登録商標）のインタフェースとメタデータＨＤＤ２０４と接続するインタフェースを持ち、各制御部からのファイル検索要求に対し、メタデータＨＤＤ２０６に記録しているメタデータを使用して検索処理を行う制御部である。このメタデータＨＤＤ制御部２０７は、図１の第２記憶制御部１０４に相当するものである。
【００１７】
メタデータＨＤＤ２０６とメタデータＨＤＤ制御部２０７との接続方法は、オリジナルデータＨＤＤの場合と同様に、一般的なインタフェースによりハードディスクにアクセスできればいずれの方法でもよい。
【００１８】
ＨＤＴＶ＿ＡＤＰ２０８は、ＨＤＴＶ（High Definition Television）２０９へ画像を表示する機能と、システム内で制御情報と画像データを取扱うものであり、ＨＤＴＶ２０９とのインタフェースはＤ２０１で行うものとし、スイッチ部１０１とのインタフェースは１ギガバイト対応のイーサネット（登録商標）で接続を行う。ＨＤＴＶ２０９は、高画質画像を表示するためのものである。
【００１９】
前述した構成のデータ入出力装置１０８において、データのストリームを図２のＤ２００〜Ｄ２０２で示す。ストリームＤ２００は、オリジナルデータＨＤＤ２０４ａに記録されているオリジナルデータ２のコンテンツを第２のＰＣ２０２で再生するものである。ストリームＤ２０１は、オリジナルデータＨＤＤ２０４ｎに記録されているオリジナルデータ３のコンテンツをＨＤＴＶ２０９で再生するものである。ストリームＤ２０２は、オリジナルデータＨＤＤ２０４ｂに記録されているオリジナルデータ２のコンテンツを第１のＰＣ２０１で再生するものである。
【００２０】
オリジナルデータ２のコンテンツは、オリジナルデータＨＤＤ２０５ａ及び２０５ｂに分散されて記憶されているため、２つのＰＣ（２０１，２０２）からアクセスされても、１チャネルづつ配信を行うことができる。また、ＨＤＴＶ２０９からアクセスされているオリジナルデータ３のコンテンツは、別のストレージに記憶されており負荷が分散されている。本実施形態では、説明上顕著な例を示しているが、各ストレージ（オリジナルデータＨＤＤ）のアクセスへの負荷を分散して複数チャネルの配信を実現している。
【００２１】
図３は、本発明の実施形態におけるデータ入出力装置における接続処理を示したシーケンス図である。図３には、図２に示すストリームＤ２００及びＤ２０１が接続された状態で、ストリームＤ２０２が接続されるときの接続処理を例にして説明する。
【００２２】
ファイル探索要求信号Ｓ３００は、第１のＰＣ２０１からメタデータＨＤＤ制御部２０７へ送信されるファイルを探索するための要求である。ファイルビューアー表示信号Ｓ３０１は、メタデータＨＤＤ制御部２０７から第１のＰＣ２０１へ送信されるファイル構成のデータであり、本信号を受信した第１のＰＣ２０１には、ウィンドウズ（登録商標）のエクスプローラと同じようなファイルの保存構造を示す表示がされる。このファイルビューアー表示データには、各ファイルに一意に与えられたコンテンツＩＤが含まれている。
【００２３】
接続要求信号Ｓ３０２は、第１のＰＣ２０１からパス制御部１００へ送信されるコンテンツＩＤを含む接続要求信号であり、閲覧したいファイルを第１のＰＣ２０１上で操作した時点で送信される。検索要求信号Ｓ３０３は、パス制御部１００からメタデータＨＤＤ制御部２０７へ送信されるコンテンツＩＤを含む検索要求信号である。回答信号Ｓ３０４は、メタデータＨＤＤ制御部２０７からパス制御部１００へ送信される検索要求信号Ｓ３０３に対する検索結果を返送する信号であり、要求したコンテンツのロケーション情報が送られる。
【００２４】
信号Ｓ３０５は、メタデータＨＤＤ制御部２０７で受信したコンテンツのロケーション情報から接続するオリジナルデータＨＤＤ制御部を選択処理するためのものであり、その詳細については後述する。
【００２５】
接続命令信号Ｓ３０６は、パス制御部１００からオリジナルデータＨＤＤ制御部２０５へ送信される接続命令であり、接続アドレス情報を含んでいる。接続命令信号Ｓ３０７は、パス制御部１００から第１のＰＣ２０１へ送信される接続命令であり、接続アドレス情報を含んでいる。
【００２６】
ファイルリードリクエスト信号Ｓ３０８は、第１のＰＣ２０１からオリジナルデータＨＤＤ制御部２０５へ送信されるファイルの読み込みを要求する信号である。表示ストリーム信号Ｓ３０９は、オリジナルデータＨＤＤ制御部２０５から第１のＰＣ２０１へ送信される信号である。
【００２７】
図４は、本発明の実施形態におけるデータ入出力装置において、接続要求を受けて各制御部に接続命令を送信する処理におけるフローチャートである。
ステップＳ４００では、回答信号Ｓ３０４により得られたファイルのロケーションから保存されているオリジナルデータＨＤＤ２０５を確認し、パス制御部１００で管理している接続処理部から各ストリームの状況を把握する。その後、ステップＳ４０１へ遷移する。
【００２８】
ステップＳ４０１では、各オリジナルデータＨＤＤの能力をパス制御部１００で管理しており、ステップＳ４００で得られた使用状況と比較して一番帯域に余裕のあるオリジナルデータＨＤＤを選択する。その後、ステップＳ４０２へ遷移する。
【００２９】
ステップＳ４０２では、接続要求のあったコンテンツの使用帯域とステップＳ４０１で得られたオリジナルデータＨＤＤの接続可能帯域とを比較し、接続要求されたコンテンツが表示可能であるか否かを判断する。この判断の結果、表示可能であると判断された場合には、処理の終了へ遷移する。一方、表示不可であると判断された場合には、ステップＳ４０３へ遷移する。
【００３０】
ステップＳ４０３では、接続要求されたコンテンツが表示されない状況であるため、今後のためにミラーファイルを作成するブロック（BLOCK）発生処理等を行う。本処理はマルチタスクで処理されるため、ステップＳ４０３のブロック発生処理が行われると、処理の終了へ遷移する。
【００３１】
図５は、図４のステップＳ４０３の処理（ブロック発生処理）を示すフローチャートである。
ステップＳ５００では、ブロックの発生原因がファイル数の不足であるか否かを判断する。この判断の結果、ファイル数の不足であると判断された場合には、ステップＳ５０１遷移する。一方、ステップＳ５００での判断の結果、ファイル数の不足でないと判断された場合には、終了の処理へ遷移する。本実施形態においては、このファイル数の不足でないと判断された場合、システム障害等の場合も想定されるため、別の処理により復旧処理を行うものとする。
【００３２】
ステップＳ５０１では、システムに設定されている呼損率と比較して、呼損率が設定値を超えているか否かを判断する。この判断の結果、呼損率が設定値を超えていないと判断された場合には、終了の処理へ遷移する。一方、ステップＳ５０１での判断の結果、呼損率が設定値を超えていると判断された場合には、ステップＳ５０２へ遷移する。
【００３３】
ステップＳ５０２では、ミラーの作成処理を行い、その後、終了の処理へ遷移する。このステップＳ５０２におけるミラーの作成処理は、図６で詳細に説明する。
【００３４】
図６は、図５のステップＳ５０２の処理（ミラーの作成処理）を示すフローチャートである。
ステップＳ６００では、システムに存在する各ストレージ（オリジナルデータＨＤＤ２０４ａ，２０４ｂ，…，２０４ｎ）のディスク残量を確認する。続いて、ステップＳ６０１では、複製データを作成（コピー）するストレージを決定し、ステップＳ６０２へ遷移する。ステップＳ６０１での処理では、単純に残量の多いストレージを選択するが、個々のストレージのアクセス量や、ネットワーク上のアクセスを要求する機器の設置場所等から選択する方法もある。
【００３５】
ステップＳ６０２では、コピー元となるデータを保有しているストレージの中からトラフィックの少ないストレージがあるか否かを判断する。この判断の結果、該当するストレージがあると判断された場合には、ステップＳ６０３へ遷移する。一方、該当するストレージがないと判断された場合には、該当するストレージが存在するまで、ステップＳ６０２で待機する。
【００３６】
ステップＳ６０３では、ストレージを捕捉する。続いて、ステップＳ６０４では、コピー先のストレージに対応するオリジナルデータＨＤＤ制御部２０５ａ，２０５ｂ，２０５ｎにコピーの実行指示を行う。
【００３７】
続いて、ステップＳ６０５では、ステップＳ６０４におけるコピーの終了を確認する。続いて、ステップＳ６０６では、メタ情報に複製したロケーションを追記して、終了の処理へ遷移する。
【００３８】
図６に示したミラーの作成処理は、接続要求時に発生したブロックがトリガーとなっているが、ミラーファイルの作成は、パス制御部１００で行う定期診断処理からも起動される。
【００３９】
図７は、パス制御部１００における定期診断処理を示したフローチャートである。ここで。定期診断処理の時間やタスクの優先順位はユーザの設定による。また、定期診断処理では、ファイルのミラー処理の他に、不必要なミラーファイルを検出して削除する処理も行う。
【００４０】
ステップＳ７００では、ファイルアクセスの呼量状態からユーザの呼損の設定に対して過剰であり、且つファイルを削除してもユーザの設定した呼損に影響を及ぼさないファイルを抽出する。その後、ステップＳ７０１へ遷移する。
【００４１】
ステップＳ７０１では、ステップＳ７００で抽出されたファイルが存在するか否かを判断する。この判断の結果、抽出されたファイルが存在すると判断された場合には、ステップＳ７０２へ遷移する。一方、抽出されたファイルが存在しないと判断された場合には、ステップＳ７０４へ遷移する。
【００４２】
ステップＳ７０２では、複製ファイルが複数存在する場合は、個々のストレージの呼量を比較して、値の高いストレージに記憶されているファイルを削除する。その後、ステップＳ７０３へ遷移する。
【００４３】
ステップＳ７０３では、オリジナルデータＨＤＤとメタデータの同期をとるために削除されたミラーファイルのロケーションをメタ情報から削除する。その後、ステップＳ７０４へ遷移する。
【００４４】
ステップＳ７０４では、ファイルアクセスの呼量状態からユーザの設定に対して危険領域に入っているファイルを抽出する。この時の危険領域におけるマージン値の設定もユーザ設定により行なわれる。続いて、ステップＳ７０５では、ステップＳ７０４で抽出されたファイルが存在するか否かを判断する。この判断の結果、ステップＳ７０４で抽出されたファイルが存在すると判断された場合には、続いて、ステップＳ７０６において、ミラー作成処理を行って、終了の処理に遷移する。一方、ステップＳ７０５での判断の結果、ステップＳ７０４で抽出されたファイルが存在しないと判断された場合には、終了の処理に遷移する。
【図面の簡単な説明】
【００４５】
【図１】本発明の実施形態におけるデータ入出力装置を含むデータ入出力システムの概略構成を示したブロック図である。
【図２】本発明の実施形態におけるデータ入出力装置において、トラフィックが分散されて稼動している状況を示したブロック図である。
【図３】本発明の実施形態におけるデータ入出力装置における接続処理を示したシーケンス図である。
【図４】本発明の実施形態におけるデータ入出力装置において、接続要求を受けて各制御部に接続命令を送信する処理におけるフローチャートである。
【図５】図４のステップＳ４０３の処理（ブロック発生処理）を示すフローチャートである。
【図６】図５のステップＳ５０２の処理（ミラーの作成処理）を示すフローチャートである。
【図７】パス制御部における定期診断処理を示したフローチャートである。
【符号の説明】
【００４６】
１００  パス制御部
１０１  スイッチ部
１０２  第１記憶制御部
１０３  第１記憶部
１０４  第２記憶制御部
１０５  第２記憶部
１０６  出力制御部
１０７  出力機器
１０８  データ入出力装置
２０１  第１のＰＣ
２０２  第２のＰＣ
２０４ａ，２０４ｂ，２０４ｎ  オリジナルデータＨＤＤ
２０５ａ，２０５ｂ，２０５ｎ  オリジナルデータＨＤＤ制御部
２０６  メタデータＨＤＤ
２０７  メタデータＨＤＤ制御部
２０８  ＨＤＴＶ＿ＡＤＰ
２０９  ＨＤＴＶ
【図１】
2006285585.tif 000003
【図２】
2006285585.tif 000004
【図３】
2006285585.tif 000005
【図４】
2006285585.tif 000006
【図５】
2006285585.tif 000007
【図６】
2006285585.tif 000008
【図７】
2006285585.tif 000009